(57)【要約】【課題】  防食材が被覆圧着部の後端側へ流動することが防止されて、高い防食性能を発揮することが可能な端子付き電線およびその製造方法を提供する。【解決手段】  まず、被覆導線１１と端子１とを圧着により接続する。次に、被覆圧着部９の後端側に、流動防止材１９を塗布する。被覆圧着部９の後端部（被覆圧着部９と被覆部１５の露出部の境界近傍）に流動防止材１９を塗布すると、流動防止材１９の一部は、上方から下方へ流れて、被覆圧着部９の後端部を全周にわたって塞ぐ。この状態で、流動防止材１９を硬化させる。その後、防食材１７をバレル間部８等に塗布し、防食材１７を硬化させることで、端子付き電線１０を製造することができる。【選択図】図２
2019102322.tif 000002
【特許請求の範囲】
【請求項１】
被覆導線と端子とが接続される端子付き電線であって、
前記被覆導線は、被覆部と、前記被覆部の先端から露出する導線とを具備し、
前記端子は、端子本体と圧着部とを有し、
前記圧着部は、前記導線が圧着される導線圧着部と、前記被覆部が圧着される被覆圧着部と、前記導線圧着部と前記被覆圧着部との間のバレル間部と、を具備し、
少なくとも、前記バレル間部から前記導線圧着部までの前記導線が露出する部位が防食材で覆われており、前記被覆圧着部側において、硬化前の前記防食材が前記被覆圧着部の後端側へ流動することを抑制する流動防止機構が形成されることを特徴とする端子付き電線。
【請求項２】
前記流動防止機構は、前記被覆圧着部の少なくとも一部と前記被覆部の少なくとも一部に接するように形成された流動防止材であることを特徴とする請求項１に記載の端子付き電線。
【請求項３】
前記流動防止材は、前記被覆圧着部の後端部側に形成されることを特徴とする請求項２に記載の端子付き電線。
【請求項４】
前記流動防止材の上端が前記被覆圧着部の最上部よりも上方に位置するように配置されることを特徴とする請求項２または請求項３のいずれかに記載の端子付き電線。
【請求項５】
前記流動防止材が光硬化樹脂であることを特徴とする請求項２から請求項４のいずれかに記載の端子付き電線。
【請求項６】
被覆導線と端子とが接続される端子付き電線の製造方法であって、
前記被覆導線は、被覆部と、前記被覆部の先端から露出する導線とを具備し、
前記端子は、端子本体と圧着部とを有し、
前記圧着部は、前記導線が圧着される導線圧着部と、前記被覆部が圧着される被覆圧着部と、前記導線圧着部と前記被覆圧着部との間のバレル間部と、を具備し、
前記被覆圧着部の少なくとも一部と前記被覆部の少なくとも一部に接するように流動防止材を塗布してから硬化させた後、少なくとも、前記バレル間部から前記導線圧着部までの前記導線が露出する部位に防食材を塗布して硬化させることを特徴とする端子付き電線の製造方法。
【請求項７】
前記流動防止材が光硬化樹脂であって、前記流動防止材を光照射によって硬化させることを特徴とする請求項６に記載の端子付き電線の製造方法。
【発明の詳細な説明】
【技術分野】
【０００１】
本発明は例えば自動車等に用いられる端子付き電線およびその製造方法に関するものである。
【背景技術】
【０００２】
従来、自動車、ＯＡ機器、家電製品等の分野では、電力線や信号線として、電気導電性に優れた銅系材料からなる電線が使用されている。特に、自動車分野においては、車両の高性能化、高機能化が急速に進められており、車載される各種電気機器や制御機器が増加している。したがって、これに伴い、使用される端子付き電線も増加する傾向にある。
【０００３】
一方、環境問題が注目される中、自動車の軽量化が要求されている。したがって、ワイヤハーネスの使用量増加に伴う重量増加が問題となる。このため、従来使用されている銅線に代えて、軽量なアルミニウム電線が注目されている。
【０００４】
ここで、このような電線同士を接続する際や機器類等の接続部においては、接続用端子が用いられる。しかし、アルミニウム電線を用いた端子付き電線であっても、接続部の信頼性等のため、端子部には、電気特性に優れる銅が使用される場合がある。このような場合には、アルミニウム電線と銅製の端子とが接合されて使用される。
【０００５】
しかし、異種金属を接触させると、標準電極電位の違いから、いわゆる電食が発生する恐れがある。特に、アルミニウムと銅との標準電極電位差は大きいため、接触部への水の飛散や結露等の影響により、電気的に卑であるアルミニウム側の腐食が進行する。このため、接続部における電線と端子との接続状態が不安定となり、接触抵抗の増加や線径の減少による電気抵抗の増大、更には断線が生じて電装部品の誤動作、機能停止に至る恐れがある。
【０００６】
このため、電線と端子との接続部を防食材で被覆する方法が提案されている。例えば、被覆圧着部と導線圧着部との間に露出する導線等に防食材を塗布して被覆した端子付き電線が提案されている（特許文献１）。
【先行技術文献】
【特許文献】
【０００７】
【特許文献１】特開２０１７−１０２９９８号公報
【発明の概要】
【発明が解決しようとする課題】
【０００８】
図７（ａ）は、従来の端子付き電線１００を示す縦方向断面図、図７（ｂ）は、被覆圧着部１０９における断面図である。端子付き電線１００は、端子１０１と被覆導線１１１とが接続されて構成される。被覆導線１１１は、先端部の被覆部１１５が除去されて、内部の導線１１３が露出する。被覆導線１１１の先端から露出する導線１１３は、端子１０１の導線圧着部１０７で圧着され、被覆部１１５は、被覆圧着部１０９で圧着される。この際、図７（ｂ）に示すように、被覆部１１５と被覆圧着部１０９との間には、隙間が形成される場合がある。
【０００９】
この状態から、図示したように、被覆圧着部１０９と導線圧着部１０７の間のバレル間部１０８に防食材１１７を塗布すると、防食材１１７の一部は、図７（ｂ）に示すように、被覆部１１５と被覆圧着部１０９との隙間を伝って被覆圧着部１０９の後端側に流動する（図７（ａ）の矢印Ｙ）。または、防食材１１７の一部が被覆圧着部１０９の上面を流れて被覆圧着部１０９の後端側に流動する（図７（ａ）の矢印Ｘ）。
【００１０】
このように防食材１１７の一部が、被覆圧着部１０９の後端側に流出してしまうと、本来、バレル間部１０８等に露出する導線１１３等を被覆する防食材１１７の形態が安定しない。例えば、防食材１１７の塗布量を一定に管理しても、塗布した防食材１１７の多くが後方に流出すれば、十分な被覆厚を確保することができず、十分な防食性能を発揮することができない。
【００１１】
特に、図７（ｂ）に示す例では、被覆圧着部１０９のバレルが突き合せられて圧着されるが、バレル同士がラップするような被覆圧着部１０９の場合には、被覆部１１５との隙間がより大きくなるおそれがある。このため、防食材１１７の流動量が多くなりやすい。一方、塗布時の防食材１１７の粘度を上げると、流動量は抑制されるが、導線１１３の素線間等へ防食材１１７が流れ込みにくく、防食材１１７の充填不足に伴う防食性能の低下の恐れがある。
【００１２】
本発明は、このような問題に鑑みてなされたもので、防食材が被覆圧着部の後端側へ流動することが防止されて、高い防食性能を発揮することが可能な端子付き電線およびその製造方法を提供することを目的とする。
【課題を解決するための手段】
【００１３】
前述した目的を達するために第１の発明は、被覆導線と端子とが接続される端子付き電線であって、前記被覆導線は、被覆部と、前記被覆部の先端から露出する導線とを具備し、前記端子は、端子本体と圧着部とを有し、前記圧着部は、前記導線が圧着される導線圧着部と、前記被覆部が圧着される被覆圧着部と、前記導線圧着部と前記被覆圧着部との間のバレル間部と、を具備し、少なくとも、前記バレル間部から前記導線圧着部までの前記導線が露出する部位が防食材で覆われており、前記被覆圧着部側において、硬化前の前記防食材が前記被覆圧着部の後端側へ流動することを抑制する流動防止機構が形成されることを特徴とする端子付き電線である。
【００１４】
前記流動防止機構は、前記被覆圧着部の少なくとも一部と前記被覆部の少なくとも一部に接するように形成された流動防止材であることが望ましい。
【００１５】
この場合、前記流動防止材は、前記被覆圧着部の後端部側に形成されることが望ましい。
【００１６】
前記流動防止材の上端が前記被覆圧着部の最上部よりも上方に位置するように配置されることが望ましい。
【００１７】
前記流動防止材が光硬化樹脂であることが望ましい。
【００１８】
第１の発明によれば、防食材とは別に、被覆圧着部の後端側へ防食材が流れることを抑制する流動防止機構が形成されるため、防食材の形態が安定し、高い防食性能を確保することができる。
【００１９】
また、流動防止機構として流動防止材を形成することで、防食材の流動を容易に抑制することができる。
【００２０】
特に、流動防止材を被覆圧着部の後端部側に形成することで、流動防止材の使用量を抑えるとともに、流動防止材がバレル間部方向へ流れることを抑制することができる。
【００２１】
また、流動防止材が被覆圧着部の上方に盛り上がるように形成されることで、被覆圧着部の上方を伝って防食材が被覆圧着部の後方へ流れることを抑制することができる。
【００２２】
また、流動防止材が光硬化樹脂であれば、短時間で硬化させることができるとともに、加熱処理も不要である。
【００２３】
第２の発明は、被覆導線と端子とが接続される端子付き電線の製造方法であって、前記被覆導線は、被覆部と、前記被覆部の先端から露出する導線とを具備し、前記端子は、端子本体と圧着部とを有し、前記圧着部は、前記導線が圧着される導線圧着部と、前記被覆部が圧着される被覆圧着部と、前記導線圧着部と前記被覆圧着部との間のバレル間部と、を具備し、前記被覆圧着部の少なくとも一部と電線被覆の少なくとも一部に接するように流動防止材を塗布してから硬化させた後、少なくとも、前記バレル間部から前記導線圧着部までの前記導線が露出する部位に防食材を塗布して硬化させることを特徴とする端子付き電線の製造方法である。
【００２４】
前記流動防止材が光硬化樹脂であって、前記流動防止材を光照射によって硬化させることが望ましい。
【００２５】
第２の発明によれば、防食材の形態が安定し、高い防食性能を確保することが可能な端子付き電線を容易に製造することができる。
【００２６】
また、流動防止材を光照射で硬化させれば、短時間で流動防止材を硬化させることができる。
【発明の効果】
【００２７】
本発明によれば、防食材が被覆圧着部の後端側へ流動することが防止されて、高い防食性能を発揮することが可能な端子付き電線およびその製造方法を提供することができる。
【図面の簡単な説明】
【００２８】
【図１】端子付き電線１０を示す斜視図。
【図２】端子付き電線１０を示す断面図。
【図３】（ａ）は流動防止材１９を配置した状態を示す図、（ｂ）は、流動防止材１９を配置した他の状態を示す図。
【図４】（ａ）は流動防止材１９を配置した状態を示す図、（ｂ）は、流動防止材１９の他の配置方法を示す図。
【図５】（ａ）は流動防止材１９ａを配置した状態を示す図、（ｂ）は、さらに防食材１７を配置した状態を示す図。
【図６】（ａ）は圧着前の端子１に流動防止突起１９ｂを形成した状態を示す図、（ｂ）は、圧着前の端子１に流動防止材１９ｃを配置した状態を示す図。
【図７】（ａ）は従来の端子付き電線１００を示す断面図、（ｂ）は、被覆圧着部１０９の断面図。
【発明を実施するための形態】
【００２９】
以下、図面を参照しながら、本発明の実施形態について説明する。図１は、端子付き電線１０を示す斜視図であり、図２は断面図である。なお、図１は、防食材１７および流動防止材１９を透視した図である。端子付き電線１０は、端子１と被覆導線１１が接続されて構成される。
【００３０】
被覆導線１１は、アルミニウム系材料製である導線１３と、導線１３を被覆する被覆部１５からなる。すなわち、被覆導線１１は、被覆部１５と、その先端から露出する導線１３とを具備する。導線１３は、例えば、複数の素線が撚り合わせられた撚り線である。
【００３１】
端子１は、オープンバレル型であり、銅系材料製である。端子１には被覆導線１１が接続される。端子１は、端子本体３と圧着部５とがトランジション部４を介して連結されて構成される。圧着部５と端子本体３の間に位置するトランジション部４は、上方が開口する。
【００３２】
端子本体３は、所定の形状の板状素材を、断面が矩形の筒体に形成したものである。端子本体３は、内部に、板状素材を矩形の筒体内に折り込んで形成される弾性接触片を有する。端子本体３は、前端部から雄型端子などが挿入されて接続される。なお、以下の説明では、端子本体３が、雄型端子等の挿入タブ（図示省略）の挿入を許容する雌型端子である例を示すが、本発明において、この端子本体３の細部の形状は特に限定されない。例えば、雌型の端子本体３に代えて例えば雄型端子の挿入タブを設けてもよい。
【００３３】
圧着部５は、被覆導線１１と圧着される部位であり、圧着前においては、端子１の長手方向に垂直な断面形状が略Ｕ字状のバレル形状を有する。端子１の圧着部５は、被覆導線１１の先端側に被覆部１５から露出する導線１３を圧着する導線圧着部７と、被覆導線１１の被覆部１５を圧着する被覆圧着部９と、導線圧着部７と被覆圧着部９の間のバレル間部８からなる。
【００３４】
導線圧着部７の内面の一部には、幅方向（長手方向に垂直な方向）に、図示を省略したセレーションが設けられる。このようにセレーションを形成することで、導線１３を圧着した際に、導線１３の表面の酸化膜を破壊しやすく、また、導線１３との接触面積を増加させることができる。
【００３５】
被覆導線１１の先端は、被覆部１５が剥離され、内部の導線１３が露出する。被覆導線１１の被覆部１５は、端子１の被覆圧着部９によって圧着される。また、被覆部１５が剥離されて露出する導線１３は、導線圧着部７により圧着される。導線圧着部７において、導線１３と端子１とが電気的に接続される。なお、被覆部１５の端面は、被覆圧着部９と導線圧着部７の間のバレル間部８に位置する。
【００３６】
本発明では、少なくとも、被覆部１５から露出する導線１３が、防食材１７で覆われる。すなわち、少なくとも、バレル間部８から導線圧着部７までの導線１３が露出する部位が防食材１７で覆われており、導線１３は、防食材１７によって外部に露出しない。防食材１７は、例えば、シリコーンアクリレート、ウレタンアクリレート、アクリルアクリレートなどの紫外線硬化樹脂である。
【００３７】
被覆圧着部９の後端側には、流動防止機構である流動防止材１９が配置される。流動防止材１９は、例えば、シリコーンアクリレート、ウレタンアクリレート、アクリルアクリレートなどの紫外線硬化樹脂である。なお、流動防止材１９と防食材１７とは接触していてもよい。詳細は後述するが、この場合でも、両者の形成タイミングが異なるため、その境界は、断面研磨後に光学顕微鏡や偏光顕微鏡で識別が可能である。
【００３８】
次に、端子付き電線１０の製造方法について説明する。まず、被覆導線１１と端子１とを圧着により接続する。次に、図３（ａ）に示すように、被覆圧着部９の後端側に、流動防止材１９を塗布する。すなわち、被覆圧着部９の少なくとも一部と被覆部１５の少なくとも一部に接するように流動防止材１９を塗布する。
【００３９】
ここで、本発明において、流動防止材１９を塗布するとは、流動防止材１９の供給部に形成した液滴を対象部に接触させる方法や、流動防止材１９の液滴を供給部から打ち出して（滴下させて）対象部に付着させる方法など、対象部に流動防止材１９が付着した状態を得る方法の全てを含むものとする。例えば、流動防止材１９を対象部に対して、ジェットディスペンサで塗布してもよく、メカニカルディスペンサで塗布してもよい。
【００４０】
被覆圧着部９の後端部（被覆圧着部９と被覆部１５の露出部の境界近傍）に流動防止材１９を塗布すると、流動防止材１９の一部は、被覆圧着部９の上方から下方へ流れて、被覆圧着部９の後端部を全周にわたって塞ぐ。また、流動防止材１９の一部は、被覆圧着部９の前方の下方にも流れる。なお、この際、流動防止材１９の一部（上端）が被覆圧着部９の最上部よりも上方に盛り上がるように配置されることが望ましい。
【００４１】
この状態で、流動防止材１９を硬化させる。その後、少なくとも、バレル間部８から導線圧着部７までの導線１３が露出する部位に防食材１７を塗布し、防食材１７を硬化させることで、端子付き電線１０を製造することができる。例えば、前述したように、防食材１７または流動防止材１９が光硬化樹脂である場合には、防食材１７または流動防止材１９を光照射によって硬化させることができる。なお、防食材１７または流動防止材１９が光硬化樹脂以外の場合には、熱等の方法を適宜用いて防食材１７または流動防止材１９を硬化させる。
【００４２】
この際、被覆圧着部９の上方に流動防止材１９が配置されるため、これが堰となり、防食材１７が被覆圧着部９の上方を伝って後方に流動することがない。また、被覆圧着部９の後端部において、被覆圧着部９と被覆部１５との隙間が塞がれているため、防食材１７が被覆圧着部９と被覆部１５との隙間を伝って後方に流動することが抑制される。すなわち、流動防止材１９は、被覆圧着部９側において、硬化前の防食材１７が被覆圧着部９の後端側へ流動することを抑制する流動防止機構として機能する。
【００４３】
なお、図３（ａ）に示す例では、流動防止材１９を被覆圧着部９の後端部のみに配置したが、これには限られない。例えば、図３（ｂ）に示すように、被覆圧着部９を覆うように流動防止材１９を配置してもよい。すなわち、流動防止材１９は、被覆圧着部９の少なくとも一部と被覆部１５の少なくとも一部に接するように形成されればよい。この場合でも、流動防止材１９の一部は、被覆圧着部９の下方へ流れるとともに、被覆圧着部９と被覆部１５の隙間にも流入して塞ぎ、前述したような、防食材１７の被覆圧着部９の後方側への流動を抑制することができる。
【００４４】
なお、流動防止材１９が過剰に導線１３方向へ流れてしまうと、その後に塗布する防食材１７による導線１３の被覆の妨げとなるおそれもある。また、被覆圧着部９の全体を流動防止材１９で被覆すると、流動防止材１９の使用量も多くなる。このため、図３（ａ）に示すように、被覆圧着部９の後端部のみへの塗布で十分な流動防止効果を得ることができれば、被覆圧着部９の全体を流動防止材１９で被覆する必要はない。なお、大型の電線の場合であって、被覆圧着部９の長さが長い場合には、被覆圧着部９の前端部のみに流動防止材１９を塗布して、流動防止材１９を被覆圧着部９と被覆部１５との隙間に充填してもよい。
【００４５】
また、効率よく被覆圧着部９の後端部の下方に流動防止材１９を配置するために、図４（ａ）に示すように、被覆圧着部９の後端下部に、受け部２０を設けてもよい。受け部２０は、被覆圧着部９の下部において、後方に突出する。このため、被覆圧着部９の後端部上方に流動防止材１９を塗布した際に、流動防止材１９が受け部２０に溜まり、効率よく、被覆圧着部９の下部と被覆部１５の隙間を埋めることができる。
【００４６】
また、同様の効果は、図４（ｂ）に示すように、流動防止材１９を塗布する際に、被覆圧着部９の後端側を上方に向けて傾けてもよい。この状態で、被覆圧着部９の後端部上方に流動防止材１９を塗布すると、流動防止材１９を、効率よく、被覆圧着部９の下部と被覆部１５の隙間に充填することができる。
【００４７】
以上説明したように、本実施形態によれば、流動防止材１９を先に形成することによって、その後、防食材１７を塗布した際に、防食材１７が被覆圧着部９の後方に流動することを抑制することができる。このため、防食に必要な導線１３の内部や下部に確実に防食材１７を浸透させて、効率良く防食効果を得ることができる。なお、防食材１７を塗布する際には、例えば、流動防止材１９の一部が、被覆圧着部９の後方から前方に向かって流れた状態ですでに硬化している。このため、後から塗布した防食材１７の一部は、被覆圧着部９の前方から、被覆圧着部９の後方に向かって、ある程度は、すでに硬化した流動防止材１９の上に重なるようにして、流動防止材１９に沿って流れるが、流動防止材１９によって、それ以上後方への流動が抑制される。
【００４８】
また、流動防止材１９が光硬化樹脂であれば、極めて短時間に流動防止材１９を硬化させることができる。なお、流動防止材１９を塗布した後、短時間に被覆圧着部９の下方まで流れるためには、流動防止材１９の粘性が低い方が望ましい。特に、流動防止材１９は、防食材１７の流動を防止可能であればよいため、大きな硬度は不要であり、使用量を削減するためにも、濃度が薄く粘性の低いものでよい。一方、防食材１７は、多少の強度と導線１３への浸透性などが必要なため、防食材１７の粘性を流動防止材１９の粘性よりも高くしてもよい。また、防食材１７の硬化後の硬度を流動防止材１９の硬化後の硬度よりも高くしてもよい。
【００４９】
また、流動防止材１９を被覆圧着部９の上方に盛り上がるように配置することで、防食材１７の堰となり、防食材１７が被覆圧着部９の上面を伝って後方に流動することを抑制することができる。
【００５０】
また、被覆圧着部９の下端に受け部２０を設けたり、流動防止材１９の塗布の際に被覆圧着部９の後端を上方に傾けることで、流動防止材１９を効率よく被覆圧着部９の後端下部に配置することができる。
【００５１】
次に、第２の実施形態について説明する。図５（ａ）、図５（ｂ）は、第２の実施形態にかかる端子付き電線の製造方法を示す図である。なお、以下の説明において、第１の実施形態と同様の機能を奏する構成については、図１〜図４と同一の符号を付し、重複する説明を省略する。
【００５２】
本実施形態においては、まず、図５（ａ）に示すように、流動防止材１９を前述した方法で形成するとともに、トランジション部４の底面上に、流動防止材１９ａを塗布する。この際、流動防止材１９ａがトランジション部４の全幅にわたって形成されることが望ましい。例えば、トランジション部４の幅方向中央に流動防止材１９ａを塗布して、全幅に流動防止材１９ａを広げてもよく、幅方向の複数個所に流動防止材１９ａを塗布してもよい。
【００５３】
流動防止材１９ａは、導線圧着部７（または導線圧着部７から露出する導線１３の先端）から離間した位置に形成される。すなわち、流動防止材１９ａと導線圧着部７（または導線圧着部７から露出する導線１３の先端）との間には、端子１の長手方向に対して隙間が形成される。このように隙間を形成することで、この後に塗布される防食材１７の樹脂溜まりを形成することができる。
【００５４】
次に、図５（ｂ）に示すように、防食材１７を塗布すると、前述したように、流動防止材１９によって、防食材１７が被覆圧着部９の後方へ流動することを抑制することができる。また、流動防止材１９ａによって、防食材１７が端子本体３側へ流動することも抑制することができる。
【００５５】
第２の実施形態によれば、第１の実施形態と同様の効果を得ることができる。また、流動防止材１９ａを形成することで、導線１３等を被覆する防食材１７が、端子本体３側へ流れることを抑制することができる。
【００５６】
次に、第３の実施形態について説明する。図６（ａ）は、第３の実施形態にかかる圧着前の端子１を示す図である。本実施形態では、被覆圧着部９の内面側に突出する流動防止突起１９ｂが形成される。流動防止突起１９ｂは、流動防止材１９と同様に、防食材１７が被覆圧着部９の後方に流動することを抑制する流動防止機構として機能する。
【００５７】
この状態から、被覆導線１１を圧着すると、被覆圧着部９の内面には流動防止突起１９ｂが形成されているため、前述した被覆圧着部９と被覆部１５との隙間が塞がれて、防食材１７の流動が抑制される。
【００５８】
なお、被覆圧着部９の一部を変形させて形成される流動防止突起１９ｂに代えて、図６（ｂ）に示すように、流動防止材１９ｃを設けてもよい。圧着前の端子１に対して、被覆圧着部９の内面に流動防止材１９ｃを塗布して硬化させ、この状態で被覆導線１１を圧着してもよい。このようにしても、被覆圧着部９の内面には凸形状が形成されているため、前述した被覆圧着部９と被覆部１５との隙間が塞がれて、防食材１７の流動が抑制される。
【００５９】
第３の実施形態によれば、第１の実施形態と同様の効果を得ることができる。また、被覆圧着部９の内面に凸部を形成することで防食材１７が、端子本体３側へ流れることを抑制することができる。このように、防食材１７が、被覆圧着部９の後端側へ流動することを抑制できれば、流動防止機構としては、流動防止材１９以外でも良い。
【００６０】
また、より効率よく防食効果を得るために、流動防止材１９または防食材１７を構成する樹脂を塗布した後、圧着部５近傍を加熱してもよい。加熱することにより、樹脂の粘度を下げることができ、被覆圧着部９と被覆部１５との隙間や、導線１３の素線間および導線１３の下部などに、樹脂を浸透させやすくなる。また、内部の空気を追い出すため、空気溜りを低減することができる。このような効果を得るためには、例えば、樹脂粘度が１０ｍＰａ・ｓ以下、または端子との接触角が１０°以下となるように加熱温度を調整すればよい。
【００６１】
また、樹脂を十分に浸透させた後、被覆導線１１を冷却してもよい。このようにすることで、内部の空気が収縮し、樹脂を線間などに浸透させることができる。
【００６２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６３】
例えば、上述した各構成は、互いに組み合わせることができることは言うまでもない。
【符号の説明】
【００６４】
１………端子
３………端子本体
４………トランジション部
５………圧着部
７………導線圧着部
８………バレル間部
９………被覆圧着部
１０………端子付き電線
１１………被覆導線
１３………導線
１５………被覆部
１７………防食材
１９、１９ａ、１９ｃ………流動防止材
１９ｂ………流動防止突起
２０………受け部
１００………端子付き電線
１０１………端子
１０７………導線圧着部
１０８………バレル間部
１０９………被覆圧着部
１１１………被覆導線
１１３………導線
１１５………被覆部
１１７………防食材
【図１】
2019102322.tif 000003
【図２】
2019102322.tif 000004
【図３】
2019102322.tif 000005
【図４】
2019102322.tif 000006
【図５】
2019102322.tif 000007
【図６】
2019102322.tif 000008
【図７】
2019102322.tif 000009